(57)【要約】  【課題】  シュレッダー内の回収スペースを有効に活用することができ、しかも破砕後の処理を容易にすることが可能なシュレッダーの破砕片回収ユニットを提供する。  【解決手段】  紙及び硬質材料を破砕可能で、破砕された紙片及び硬質材料片を分別回収するシュレッダーに取り付けられる回収ユニットであって、上部に開口を有し、破砕された紙片Ｄ及び硬質材料片Ｅの回収スペースＳに配置される回収箱７と、回収箱７内に着脱可能に収容され、回収箱７の開口よりも小さい開口を上部に有する小容器１９とを備え、硬質材料片Ｅは、小容器１９に回収され、紙片Ｄは、回収箱７の内部空間のうち小容器１９が占める部分以外のスペースＰに回収される、シュレッダーの破砕片回収ユニット。【選択図】  図１
2007014932.tif 000002
【特許請求の範囲】
【請求項１】
紙及び硬質材料を破砕可能で、破砕された紙片及び硬質材料片を分別回収するシュレッダーに取り付けられる破砕片の回収ユニットであって、
上部に開口を有し、破砕された紙片及び硬質材料片の回収スペースに配置される回収箱と、
前記回収箱内に着脱可能に収容され、前記回収箱の開口よりも小さい開口を上部に有する小容器とを備え、
硬質材料片は、前記小容器に回収され、
紙片は、前記回収箱の内部空間のうち前記小容器が占める部分以外のスペースに回収される、シュレッダーの破砕片回収ユニット。
【請求項２】
前記小容器の開口周縁には係止部材が設けられ、前記係止部材が前記回収箱の開口周縁に係止することで、前記小容器が前記回収箱に固定される、請求項１に記載のシュレッダーの破砕片回収ユニット。
【請求項３】
前記小容器の高さは、前記回収箱の深さよりも小さい、請求項１または２に記載のシュレッダーの破砕片回収ユニット。
【発明の詳細な説明】
【技術分野】
【０００１】
本発明は、コンパクトディクス等の硬質材料及び紙を破砕可能で、破砕された紙片及び硬質材料片を分別回収するシュレッダーに取り付けられる破砕片回収ユニットに関する。
【背景技術】
【０００２】
近年、機密情報は紙面に記載されるだけでなく、フレキシブルディスクやコンパクトディスク等の電子媒体に記録されることが多くなってきている。そのため、機密情報を処分するシュレッダーには、紙を破砕する機能に加え、上述したディスク等を破砕する機能が要求されている。また、近年、環境問題の観点から、単に紙及びディスクを破砕できるだけでなく、これらの分別回収の要求もある。
【０００３】
これに対して、特許文献１では、紙の投入口、及びディスク等の投入口の２つの投入口が形成されたシュレッダーが提案されている。また、このシュレッダーでは、破砕された紙片、及びディスク片が別々の回収箱に回収される。
【特許文献１】実用新案登録第３０９６４４９号公報
【発明の開示】
【発明が解決しようとする課題】
【０００４】
上記のように、このシュレッダーでは、紙用及びディスク用の回収箱をそれぞれ設けている。しかしながら、一般的にディスク等の処理量よりも紙の処理量の方が大きいため、単に二つの回収箱を設けただけであれば、紙の回収箱が満杯であるにもかかわらず、ディスクの回収箱は容量に余裕のある状態であることがあり、シュレッダー内のスペースを有効に活用できないという問題があった。
【０００５】
これに対して、シュレッダー内の回収箱に仕切りを取り付け、この仕切りの位置をそれぞれの回収量に合わせて適宜変更するという方法も考えられる。しかしながら、単に仕切りを設けた場合、例えばディスクの破砕片のみを捨てたいときであっても、回収箱ごと取り出して紙片とともに捨てなければならないため、作業が面倒であるという問題があった。
【０００６】
本発明は、上記問題を解決するためになされたものであり、シュレッダー内の回収スペースを有効に活用することができ、しかも破砕後の処理を容易にすることが可能なシュレッダーの破砕片回収ユニットを提供することを目的とする。
【課題を解決するための手段】
【０００７】
本発明は、上記問題を解決するためになされたものであり、紙及び硬質材料を破砕可能で、破砕された紙片及び硬質材料片を分別回収するシュレッダーに取り付けられる破砕片の回収ユニットであって、上部に開口を有し、破砕された紙片及び硬質材料片の回収スペースに配置される回収箱と、前記回収箱内に着脱可能に収容され、前記回収箱の開口よりも小さい開口を上部に有する小容器とを備え、硬質材料片は、前記小容器に回収され、紙片は、前記回収箱の内部空間のうち前記小容器が占める部分以外のスペースに回収される。
【０００８】
本明細書では、ＤＶＤ，ＣＤ，フレキシブルディスク，ＭＯ，メモリカード等の電子媒体の他、プラスチック等の材料で形成された板材、例えばクレジットカードなど、シュレッダーで破砕可能なものを硬質材料と称することとする。
【０００９】
上記回収ユニットにおいては、小容器の開口周縁に係止部材が設けられ、係止部材が回収箱の開口周縁に係止することで、小容器が回収箱に固定されるように構成することが好ましい。
【００１０】
また、小容器の高さは、回収箱の深さよりも小さいことが好ましい。
【発明の効果】
【００１１】
本発明に係るシュレッダーの破砕片回収ユニットによれば、シュレッダー内の回収スペースを有効に活用することができ、しかも破砕後の処理を容易にすることができる。
【発明を実施するための最良の形態】
【００１２】
以下、本発明に係るシュレッダーの回収ユニットの一実施形態について図面を参照しつつ説明する。図１は本実施形態に係るシュレッダーの側面断面図、図２は図１の平面図、図３は図１のシュレッダーの一部切欠斜視図である。
【００１３】
本実施形態に係るシュレッダーは、紙のみならず、ＣＤ等の硬質材料も破砕可能に構成されている。図１に示すように、このシュレッダー１は、破砕用のカッタユニット３，５、これを駆動するモータ（図示省略）、及び紙等の破砕片を回収する回収箱７を備えており、これらが筐体９内に配置されている。
【００１４】
図１及び図２に示すように、筐体９の上面には、前面側（図２の下側）から紙用投入口１１及び硬質材料用投入口１３がこの順で形成されており、これら投入口のいずれか一方は、カバーユニット１５によって塞がれている。紙用投入口１１の下方には、紙を破砕するカッタユニット３が配置されている。このカッタユニット３は、平行に並ぶ一対の円筒型のカッタ３ａ，３ｂを有している。各カッタ３ａ，３ｂの外周面には刃が形成され、これらの刃が互いに噛み合うように回転可能となっている。そして、投入された紙は、両カッタ３ａ，３ｂの回転に伴ってこれらの間に巻き込まれながら破砕され、下方に落下して回収される。
【００１５】
また、硬質材料用投入口１３の下方にも、紙用投入口１１と同様にカッタユニット５が配置されている。このカッタユニット５で破砕された硬質材料は、紙用カッタユニット３で破砕された紙片よりも後側に落下する。すなわち、破砕された紙片と硬質材料片とは異なる位置に落下し、後述するように、分別回収される。
【００１６】
破砕された紙片Ｄ及び硬質材料片Ｅは、筐体９の下部に形成された回収スペースＳに落下する。回収スペースＳには、紙片Ｄ及び硬質材料片Ｅが回収される回収ユニットが配置されている。この回収ユニットは、上部が開口する回収箱７と後述する小容器１９とを備えており、紙片Ｄ及び硬質材料片Ｅは回収箱７の開口へ落下するようになっている。すなわち、回収箱７の開口は、紙片Ｄ及び硬質材料片Ｅの両方の落下位置を含む大きさに形成されており、回収箱開口の前側に紙片Ｄが落下し、後側に硬質材料片Ｅが落下する。
【００１７】
そして、回収箱７には、硬質材料片のみを回収する小容器１９が配置されている。図１〜図３に示すように、この小容器１９は、左右（図１の紙面に垂直な方向）の幅が回収箱７とほぼ同じであり、前後（図１の左右方向）の長さが回収箱７の約半分である。小容器１９の開口周縁にはフランジ（係止部材）２１が形成されており、このフランジ２１が回収箱７の開口周縁に係止することで小容器１９が回収箱７に固定されている。このとき、小容器１９は、回収箱７の後側に配置されており、これによって回収箱７開口の後側の約半分は、小容器１９の開口によって占められている。また、小容器１９の高さｈは、回収箱７の深さＨの約半分となっている。したがって、回収箱７の内部空間のうち、紙片が蓄積されるスペースＰは、前側半分のスペースと、小容器１９の下方のスペースとを合わせた部分になる。
【００１８】
次に、投入口を塞ぐカバーユニット１５について説明する。図１及び図２に示すように、筐体９の上面には、平面視矩形状の凹部２３が形成されており、この凹部２３の底面に紙用投入口１１及び硬質材料用投入口１３が筐体９の左右方向に延びるように平行に形成されている。そして、凹部２３には、透明の部材で形成された矩形状のカバー本体２５が配置されている。このカバー本体２５の左右方向の幅は、凹部２３の幅とほぼ同じであり、前後方向の長さは凹部２３の約半分となっている。また、凹部２３の左右壁面には、前後方向に延びる溝２７がそれぞれ形成されている。これに対応するように、カバー本体２５の両側面にはそれぞれ突起２９が形成されており、この突起２９が凹部２３の溝２７に係合している。カバー本体上面の前後の縁部それぞれには傾斜面３０が形成されており、これによって、カバー本体２５を把持しやすいようになっている。
【００１９】
上記構成により、カバー本体２５は、溝２７に沿って凹部２３内を前後方向にスライド可能となっている。そして、カバー本体２５が凹部２３の前側に配置されているときには、紙用投入口１１を塞ぐ一方、凹部２３の後側に配置されているときには、硬質材料用投入口１３を塞ぐようになっている。
【００２０】
次に、上記のように構成されたシュレッダーの使用方法について説明する。まず、破砕の対象物に応じて、カバー本体２５の位置を変更する。すなわち、紙を破砕する場合には、カバー本体２５を把持して後側に移動し硬質材料用投入口１３を塞ぐ。これにより、紙用投入口１１が露出する。一方、硬質材料を破砕する場合には、カバー本体２５を前側にスライドさせて紙用投入口１１を塞ぎ、硬質材料用投入口１３を露出させる。例えば、紙を破砕する場合には、カバー本体２５を後側にスライドさせた後、シュレッダーのスイッチをオンにする。そして、カッターが回転し始めると紙用投入口１１から紙を投入して破砕を行う。
【００２１】
そして、回収箱７における紙片の蓄積スペースＰ又は小容器１９のいずれか一方が満杯になると、シュレッダー前面の扉１７を開けて、回収箱７を取り出す。そして、小容器１９が硬質材料で満杯であれば、小容器１９のみを取り出して硬質材料片を捨てればよいし、紙の蓄積スペースＰが満杯であれば小容器１９を取り外して、回収箱７内の紙片を捨てればよい。
【００２２】
以上のように、本実施形態によれば、破砕された紙片及び硬質材料片の両方が落下する回収スペースＳに回収箱７を設置し、その回収箱７において硬質材料片が落下する位置に小容器１９を着脱可能に配置している。そのため、筐体９内に硬質材料片のみを回収する別個のスペースを設ける必要がなく、既存のスペースを活用することができる。
【００２３】
ここで、一般的に、紙の破砕量は、硬質材料の破砕量に比べてかなり多いが、本実施形態では、小容器１９を次のように構成することで、紙片の破砕量に対応している。すなわち、本実施形態では、小容器１９の開口を回収箱７よりも小さくし、その高さｈを回収箱の深さＨよりも浅くしている。そして、小容器１９の開口周縁に形成されたフランジ２１を、回収箱７の開口周縁に係止させることで、小容器１９を回収箱７に固定し、回収箱７と小容器１９との開口の高さを一致させている。このため、回収箱７の内部空間Ｐのうち、紙片の蓄積スペースは、前半分と小容器１９の下方のスペースになる。したがって、回収箱７の容積のうち、約７５％を紙の蓄積スペースとして使用することができるため、回収箱７内に小容器１９を設置しても、紙片の蓄積スペースが大きく減少することはなく、回収箱７の内部空間を有効に活用することができる。
【００２４】
しかも、小容器１９の取り付けは、小容器１９の開口周縁に設けられたフランジ２１を回収箱７の開口周縁に内側から係止させているだけであるので、特殊な回収箱７を準備する必要がなく、低コストで小容器１９を取り付けることができる。
【００２５】
以上、本発明の一実施形態について説明したが、本発明は上記実施形態に限定されるものではなく、その趣旨を逸脱しない限りにおいて種々の変更が可能である。例えば、上記説明では、小容器１９の開口周縁にフランジ２１を設けて、これを回収箱７の開口周縁に係止しているが、小容器１９が回収箱７に固定される限りは、固定方法については特には限定されない。例えば、Ｌ字形又はＵ字形の係止部材を小容器１９の開口周縁に設け、これを回収箱７の開口周縁に引っかけるようにすることもできる。なお、上記説明では、小容器１９の下方にも紙片が蓄積されるように構成されているが、紙片の蓄積量が増えた場合、小容器１９が持ち上げられることがあるので、例えばクリップ等の固定手段で小容器１９と回収箱７とを完全に固定するようにすることもできる。
【００２６】
また、小容器１９の大きさは、上記説明に限定されるものではなく、必要に応じて変更することができる。例えば、小容器１９の幅、奥行き、深さ等は、予定している硬質材料の破砕量に合わせたものにすることができる。
【図面の簡単な説明】
【００２７】
【図１】本発明の一実施形態に係るシュレッダーの側面断面図である。
【図２】図１のシュレッダーの平面図である。
【図３】本発明の一実施形態に係るシュレッダーの一部切欠斜視図である。
【符号の説明】
【００２８】
１    シュレッダー
７    回収箱
１９  小容器
２１  フランジ（係止部材）
【図１】
2007014932.tif 000003
【図２】
2007014932.tif 000004
【図３】
2007014932.tif 000005